(57)【要約】【課題】地震発生後の液体燃料の供給量の低下を防止した燃料供給装置を提供する。【解決手段】本発明は、液体燃料が貯留された貯留タンクに接続された燃料供給経路と、前記燃料供給経路の他端に接続され、被燃料供給体に液体燃料を供給するノズルと、前記燃料供給経路に設けられ、前記貯留タンクの液体燃料を前記ノズルに供給するポンプと、前記ポンプよりも上流側の燃料供給経路に設けられたフィルタと、前記ポンプにより前記ノズルに供給された液体燃料の供給量を計測する流量計と、一端が前記フィルタより上流側の燃料供給経路に接続され、他端が該一端よりも下流側の燃料供給経路に接続されたバイパス経路と、前記バイパス経路に設けられ、前記液体燃料に含まれる異物を除去する異物除去手段と、前記燃料供給経路に設けられ、前記液体燃料が前記バイパス経路の前記異物除去手段に供給されるように前記燃料供給経路が切り替わる切替弁と、を備える。【選択図】図１
2015105105.tif 000002
【特許請求の範囲】
【請求項１】
液体燃料が貯留された貯留タンクに接続された燃料供給経路と、
前記燃料供給経路の他端に接続され、被燃料供給体に液体燃料を供給するノズルと、
前記燃料供給経路に設けられ、前記貯留タンクの液体燃料を前記ノズルに供給するポンプと、
前記ポンプよりも上流側の前記燃料供給経路に設けられたフィルタと、
前記ポンプにより前記ノズルに供給された液体燃料の供給量を計測する流量計と、
一端が前記フィルタより上流側の前記燃料供給経路に接続され、他端が該一端よりも下流側の前記燃料供給経路に接続されたバイパス経路と、
前記バイパス経路に設けられ、前記液体燃料に含まれる異物を除去する異物除去手段と、
前記燃料供給経路に設けられ、前記液体燃料が前記バイパス経路の前記異物除去手段に供給されるように前記燃料供給経路が切り替わる切替弁と、
を備えたことを特徴とする燃料供給装置。
【請求項２】
地震発生を検知する地震検知手段と、
前記地震検知手段より地震が発生したことを示す地震検知信号が出力された場合、前記液体燃料が前記バイパス経路に供給されるように前記切替弁を切り替え制御する制御手段と、
を備えたことを特徴とする請求項１に記載の燃料供給装置。
【請求項３】
前記フィルタの上流側または下流側の何れか一方あるいは両方の圧力を計測する圧力検出手段と、
前記圧力検出手段により計測された圧力に基づいて、前記液体燃料が前記バイパス経路に供給されるように前記切替弁を切り替え制御する制御手段と、
を備えたことを特徴とする請求項１に記載の燃料供給装置。
【請求項４】
前記異物除去手段は、
前記液体燃料を通過させる過程で異物の通過を阻止するフィルタと、
前記フィルタを収納するフィルタ収納部と、を有し、
前記フィルタは、前記フィルタ収納部に着脱可能に収納されることを特徴とする請求項１乃至３の何れかに記載の燃料供給装置。
【請求項５】
前記異物除去手段の圧力を計測する圧力検出手段と、
前記圧力検出手段により検出された圧力検出値に基づいて、前記異物除去手段が目詰まりしたことを報知する報知手段と、
を備えたことを特徴とする請求項１〜４の何れかに記載の燃料供給装置。
【発明の詳細な説明】
【技術分野】
【０００１】
本発明は燃料供給装置に関する。
【背景技術】
【０００２】
例えば、ガソリンや軽油等の液体燃料を供給する燃料供給装置では、貯留タンク（地下タンク）に貯留された液体燃料を汲み上げて燃料供給経路（配管、ホース、ノズルを含む）を介して被供給体（例えば、車両の燃料タンク）に供給するポンプユニットを有する（例えば、特許文献１参照）。ポンプユニットには、ポンプ以外に液体燃料に含まれる異物を除去するフィルタが内蔵されている。また、フィルタは、比較的小型のものが使用されており、例えばポンプの定期点検時に定期的に清掃されている。
【先行技術文献】
【特許文献】
【０００３】
【特許文献１】特開２００９−１１３８２６号公報
【発明の概要】
【発明が解決しようとする課題】
【０００４】
液体燃料が貯留される貯留タンクにおいては、タンク底部に異物が堆積するため、通常ポンプにより汲み上げられる液体燃料中に異物が殆ど含まれていない。そのため、ポンプよりも上流側の燃料供給経路に設けられた、異物によるポンプの損傷を防止するためのフィルタが通常の使用状態で早期に目詰まりすることはない。
【０００５】
ところが、地震による振動がタンクに伝播すると、タンク底部に堆積した異物が拡散してタンク内の液体燃料中を浮遊するといった現象が発生する。そして、燃料供給装置により、貯留タンク内の液体燃料を汲み上げた際に、液体燃料と共に浮遊した多量の異物も汲み上げてしまうことになる。その場合、燃料供給経路に設けられたフィルタは、タンク底部より分離した多量の異物により早期に目詰まりすることになる。この結果、燃料供給経路に供給される液体燃料の供給量が低下することにより、燃料の供給時間が延長されるばかりか、フィルタの清掃や交換も頻繁に行うことになる。
【０００６】
また、地震等の災害発生後には、支援物資の運搬や復旧作業を行うための移動手段として自動車の利用が活発になるため、フィルタの目詰まりによる液体燃料の供給量低下の影響に拘わらず、効率良く短時間で自動車への燃料供給が行えることが要望されている。
【０００７】
そこで、本発明は上記事情に鑑み、上記課題を解決した燃料供給装置の提供を目的とする。
【課題を解決するための手段】
【０００８】
上記課題を解決するため、本発明は以下のような手段を有する。
【０００９】
本発明は、液体燃料が貯留された貯留タンクに接続された燃料供給経路と、
前記燃料供給経路の他端に接続され、被燃料供給体に液体燃料を供給するノズルと、
前記燃料供給経路に設けられ、前記貯留タンクの液体燃料を前記ノズルに供給するポンプと、
前記ポンプよりも上流側の前記燃料供給経路に設けられたフィルタと、
前記ポンプにより前記ノズルに供給された液体燃料の供給量を計測する流量計と、
一端が前記フィルタより上流側の前記燃料供給経路に接続され、他端が該一端よりも下流側の前記燃料供給経路に接続されたバイパス経路と、
前記バイパス経路に設けられ、前記液体燃料に含まれる異物を除去する異物除去手段と、
前記燃料供給経路に設けられ、前記液体燃料が前記バイパス経路の前記異物除去手段に供給されるように前記燃料供給経路が切り替わる切替弁と、
を備えたことを特徴とする。
【発明の効果】
【００１０】
本発明によれば、地震が発生した場合には切替弁により液体燃料がバイパス経路に供給されるように燃料供給経路が切り替わるため、液体燃料と共に浮遊した異物も汲み上げたとしても、異物が異物除去手段により除去され、燃料供給経路のフィルタが目詰まりしてしまうことによる液体燃料の供給量低下を防止でき、地震が発生した場合にでも効率良く自動車へ燃料供給が行える。
【図面の簡単な説明】
【００１１】
【図１】本発明による燃料供給装置の一実施形態を示す模式的に構成図である。
【図２】異物除去手段の構成を拡大して示す図である。
【図３】制御回路が実行する制御処理を説明するためのフローチャートである。
【図４】制御回路が実行する制御処理の変形例を説明するためのフローチャートである。
【発明を実施するための形態】
【００１２】
以下、図面を参照して本発明を実施するための形態について説明する。
【００１３】
〔実施形態１〕
図１は本発明による燃料供給装置の一実施形態を示す模式的に構成図である。図１に示されるように、燃料供給装置１０は、筐体１２の内部に、燃料供給経路２０と、切替弁３０と、バイパス経路４０と、ポンプユニット５０と、流量計６０と、電磁弁７０と、異物除去手段８０と、制御回路９０とを有する。ポンプユニット５０は、一つのケーシング内にポンプ、気液分離室、フィルタ、空気分離室などが設けられている。尚、ポンプユニット５０に内蔵されたポンプフィルタ５１は、比較的粒子の小さい異物を除去するように目の細かいフィルタにより形成されている。
【００１４】
さらに、筐体１２内には、感震器（地震検知手段）１００と、スピーカ（報知手段）１１０とを有する。また、筐体１２の正面には、表示器１２０が設けられ、筐体１２の側面には、ノズル掛け１３０が設けられている。
【００１５】
燃料供給経路２０は、地下タンク１４０と切替弁３０との間を接続する第１配管２１と、切替弁３０とポンプユニット５０との間を接続する第２配管２２と、ポンプユニット５０と流量計６０との間を接続する第３配管２３と、流量計６０と電磁弁７０との間を接続する第４配管２４と、電磁弁７０に接続された第５配管２５と、第５配管２５に接続されたホース２６とから構成されている。第３配管２３には、ポンプユニット５０から吐出された液体燃料の圧力検出値を検出する第１の圧力センサ（圧力検出手段）１７０が設けられている。この第１の圧力センサ１７０は、ポンプフィルタ５１より下流側の圧力（ポンプ吐出圧力）Ｐ１を検出しており、ポンプフィルタ５１を通過した液体燃料の圧力の低下を監視することができる。
【００１６】
また、ホース２６の先端には、ノズル１５０が接続されている。ノズル１５０は、不使用時にはノズル掛け１３０に掛けられている。また、車両の燃料タンク（被燃料供給体）１６０に燃料供給する際には、ノズル掛け１３０から外されたノズル１５０の吐出パイプ１５２が当該燃料タンク１６０の供給口１６２に挿入される。尚、ノズル掛け１３０には、ノズル１５０の存在によりオンになり、ノズル１５０が外れるとオフに切り替わるノズルスイッチ１３２が設けられている。
【００１７】
切替弁３０は、前記ポンプフィルタ５１よりも下流側の燃料供給経路に設けられた三方電磁弁よりなり、第１配管２１が接続されたａポートと、第２配管２２が接続されたｂポートと、バイパス経路４０が接続されたｃポートとを有する。
【００１８】
また、バイパス経路４０は、下端（上流側の一端）が切替弁３０のｃポートに分岐接続され、上端（下流側）が第２配管２２に分岐接続されている。ここで、切替弁３０は、感震器１００又は第１の圧力センサ１７０からの出力信号により自動的に切替えられる構成となっている。また、バイパス経路４０の上端(下流側の他端)は、ポンプフィルタ５１よりも上流側の燃料供給経路２０（第２配管２２）に接続されている。そのため、切替弁３０をバイパス経路４０へ燃料供給するように切替えることにより、液体燃料はポンプユニット５０に供給される前の上流位置からバイパス経路４０に供給される。そして、バイパス経路４０には、液体燃料中に含まれる異物の通過を阻止して異物を液体燃料から除去する異物除去手段８０が設けられている。尚、バイパス経路４０の上端（下流側）と第２配管２２との間にも三方電磁弁（切替弁）を配置しても良いし、バイパス経路４０または第２配管２２に三方電磁弁（切替弁）を配置しても良い。また、切替弁３０は、三方電磁弁でも良いし、または手動式の三方弁でも良い。尚、切替弁３０に手動式の三方弁を使用する場合、地震を感じた作業員が三方弁を手動で切替えても良いし、感震器１００が地震を検知したことをスピーカ１１０から報知することで、地震発生直後にスピーカ１１０により地震発生を知った作業者が三方弁を手動で切替えても良い。
【００１９】
地下タンク（貯留タンク）１４０の底部には、異物Ｗが沈殿している場合がある。通常時(地震発生前)では、異物Ｗは液体燃料と共に汲み上げられることはないが、地震が発生すると地震による震動が液体に伝播し、沈殿していた異物Ｗが液体燃料中に浮遊することがあり、異物Ｗは液体燃料と共に汲み上げられる可能性がある。
【００２０】
切替弁３０は、通常（地震発生前）、ａポートとｂポートとを連通しており、第１配管２１と第２配管２２とを接続している。そして、切替弁３０は、地震発生直後に切替えられることにより、aポートとｃポートとを連通させ、第１配管２１とバイパス経路４０とを接続させる。そのため、通常（地震発生前）地下タンク１４０から汲み上げられた液体燃料は、第１配管２１及び第２配管２２を介してポンプフィルタ５１及びポンプユニット５０に供給される。また、地震発生時には、切替弁３０はａポートとｃポートとを連通するように切り替わるため、第１配管２１を介して汲み上げられた液体燃料は、ポンプフィルタ５１に供給される前にバイパス経路４０の異物除去手段８０に供給される。そして、異物除去手段８０により、地下タンク１４０に沈殿していた異物Ｗが濾過された液体燃料はポンプユニット５０に供給される。
【００２１】
このように、地震発生時には、切替弁３０が切り替わることにより、液体燃料が異物除去手段８０へ供給され、液体燃料中の異物が異物除去手段により除去されるため、地下タンク１４０の底部に沈殿していた異物Ｗによるポンプユニット５０内のポンプフィルタ５１の目詰まりによる液体燃料の供給量低下が防止される。
【００２２】
制御回路９０は、圧力監視手段２１０と、切替弁制御手段２２０と、電磁弁制御手段２３０と、流量演算手段２４０と、ポンプ制御手段２５０とを有する。圧力監視手段２１０は、異物除去手段８０より下流に設けられた第２の圧力センサ（圧力検出手段）１８０により検出された圧力検出値Ｐ２を監視しており、液体燃料の供給圧力が予め設定された所定値以下に低下した場合に、異物除去手段８０が異物により目詰まりしたことに伴う圧力低下を報知するための信号を出力する。これにより、作業員は、異物除去手段８０が取り替え時期であることを容易に分かる。
【００２３】
なお、異物除去手段８０が目詰まりしたことを検知する方法としては、異物除去手段８０よりも上流に第２の圧力センサ１８０を設けた場合には、液体燃料の供給圧力が予め設定された所定値以上に上昇したことを検知して、報知しても良いし、異物除去手段８０の上流、下流の両方に圧力センサを設け、上流、下流との圧力差(圧力差)から異物除去手段８０が目詰まりしたことを検知して報知しても良い。
【００２４】
切替弁制御手段２２０は、地震発生時に所定値以上の震動が感震器（地震検知手段）１００により検知され、その検知信号が入力された場合、切替弁３０に切り替え信号を出力する。その結果、切替弁３０は、第１配管２１と異物除去手段８０が設けられたバイパス経路４０とを連通するように自動的に切り替わり、地下タンク１４０から汲み上げられた液体燃料を異物除去手段８０で濾過してポンプユニット５０に供給する。これにより、作業員が切替弁３０を操作することを忘れた場合にでも、確実に切替弁３０を切替えることができる。よって、地震発生直後の液体燃料は、バイパス経路４０を介し異物除去手段８０に供給されることが出来る。
【００２５】
また、第１の圧力センサ１７０により計測された圧力値Ｐ１に基づいて切替弁３０に切替信号を出力しても同様である。具体的には、ポンプフィルタ５１より下流側に設けられた第１の圧力センサ１７０により計測された液体燃料の圧力Ｐ１が所定値以下であると検知された場合、ポンプフィルタ５１が目詰まりすることによる液体燃料の供給量が低下する可能性がある。つまり、現状の燃料供給経路での供給を続けてしまうと、液体燃料に含まれる異物により早期にポンプフィルタ５１が目詰まりすることにより、液体燃料の供給量の低下が予想される。そのため、切替弁３０を自動的に切替えることにより、異物がバイパス経路４０の異物除去手段８０により除去されることから、バイパス経路４０より下流に設けられたポンプフィルタ５１の目詰まりを防止し、ポンプフィルタ５１の目詰まりによる液体燃料の供給量低下を防止できる。
【００２６】
電磁弁制御手段２３０は、ノズル掛け１３０のノズルスイッチ１３２からのノズル検知信号がオンの場合、電磁弁７０を閉弁させる閉弁信号を出力し、ノズルスイッチ１３２からのノズル検知信号がオフの場合には電磁弁７０を開弁させる開弁信号を出力する。
【００２７】
流量演算手段２４０は、流量計６０の流量パルス発信器６２から送信された流量パルスを積算してノズル１５０から吐出される液体燃料の単位時間当たりの瞬時流量、及び積算流量（供給量）を演算し、演算した数値データを表示器１２０に出力して供給量を表示させる。
【００２８】
また、ポンプ制御手段２５０は、ノズル掛け１３０のノズルスイッチ１３２からのノズル検知信号がオンの場合、ポンプユニット５０のポンプモータ５２を起動させ、ノズル検知信号がオフの場合にはポンプモータ５２への電源供給を停止させる。
【００２９】
図２は異物除去手段の構成を拡大して示す図である。図２に示されるように、異物除去手段８０は、円筒形状のフィルタ収納ケース（フィルタ収納部）８２の内部に多重構造フィルタ８４が着脱可能に収納されており、フィルタ収納ケース８２の蓋８３を開くことで、多重構造フィルタ８４を取出すことができるカートリッジ式になっている。また、多重構造フィルタ８４は、目の粗さが異なる複数の金属製メッシュ部材８６を積層した構成であり、上流側に目の粗い金属メッシュ部材が配置され、下流側にいくほど目の細かい金属製メッシュ部材８６が段階的に配置されている。
【００３０】
また、水は、油液より比重が重いので、地下タンク１４０の底部に沈下している。メッシュ部材８６間に、水吸収材あるいは油を透過させる撥水材を設けることにより、地震の影響で、地下タンク１４０内に異物Ｗと共に、タンク底部から浮遊した水をポンプユニット５０の吸引力で汲み上げてしまうことがある。このような場合には、異物除去手段８０の多重構造フィルタ８４内を液体燃料が通過する過程で、液体燃料内の水が水吸収材により吸収、あるいは撥水材により液体燃料から水が弾かれる。これにより、被供給体に水が混入した液体燃料を供給することを防止でき、更に安全に供給を行うことができる。
【００３１】
また、多重構造フィルタ８４は、液体燃料が通過する際の流量を確保するため、フィルタ濾過面積が燃料供給経路２０及びバイパス経路４０の配管口径よりも大径に形成されている。すなわち、多重構造フィルタ８４は、ポンプユニット５０に内蔵されたフィルタに比べて十分に大きな容量を有するため、地下タンク１４０に沈殿していた異物Ｗを除去する際にも目詰まりしにくい構成になっている。そのため、地震発生に伴う地下タンク１４０の底部に沈殿した異物Ｗが燃料供給経路２０に流入した場合でも、大きな容量を有する多重構造フィルタ８４によって比較的粒子の大きい異物でも効果的に除去することが可能なる。さらには、多重構造フィルタ８４の目詰まりが生じにくいことから、地震発生後の燃料供給を安定的に行うことが可能となる。
【００３２】
また、蓋８３は、フィルタ収納ケース８２の外周に対して蝶番８８により開閉可能に取り付けられており、且つ閉蓋時には係止部８９がフィルタ収納ケース８２に対して係止され、液体燃料が漏洩しないよう液密にシールされている。さらに、多重構造フィルタ８４は、複数の金属製メッシュ部材８６が積層されたカートリッジ構造であるので、メンテナンス時に洗浄したり、交換することが容易に行える。特にポンプユニット５０に内蔵されたポンプフィルタ５１を洗浄したり、当該ポンプフィルタ５１を交換する場合には、ポンプユニット５０からポンプフィルタ５１を取り出す必要があり、手間がかかる。これに対し、本実施形態１によれば、バイパス経路４０中にカートリッジ構造の多重構造フィルタ８４が設けられているので、容易に交換又は清掃などのメンテナンスを行なうことができる。また、多重構造フィルタ８４は、フィルタ収納ケース８２の内部に収納されているが、蓋８３を開くことで、短時間で簡単に交換することも可能である。
【００３３】
〔制御回路９０の制御処理について〕
図３は制御回路が実行する制御処理を説明するためのフローチャートである。図３に示されるように、制御回路９０は、Ｓ１１で、ノズルスイッチ１３２がオフか否かをチェックする。ノズル１５０がノズル掛け１３０から外されて車両の燃料タンク１６０の供給口１６２に挿入されると、ノズルスイッチ１３２がオンからオフに切り替わる。Ｓ１１において、ノズルスイッチ１３２がオンからオフに切り替わった場合（ＹＥＳの場合）、Ｓ１２に進み、ポンプモータ５２を起動させる。続いて、Ｓ１３に進み、電磁弁７０を開弁させる。
【００３４】
次のＳ１４では、感震器（地震検知手段）１００から地震検知信号が出力されたか否かをチェックする。Ｓ１４において、地震検知信号が出力された場合（ＹＥＳの場合）、Ｓ１５に進み、切替弁３０に切替信号を送信する。これにより、切替弁３０はａポートとｃポートとを連通するように切り替わるため、地下タンク１４０から汲み上げられた液体燃料は、バイパス経路４０の異物除去手段８０に供給される。このように、地震発生時は、自動的に切替弁３０を切替えて液体燃料を確実に異物除去手段８０に供給することができるので、地震発生直後に切替え操作を忘れるといった不都合を防止できる。よって、異物除去手段８０により濾過された液体燃料は、地下タンク１４０に沈殿していた異物Ｗを除去されてポンプユニット５０に供給される。
【００３５】
このように、地震発生時には、異物除去手段８０で濾過された液体燃料がポンプユニット５０に供給されるため、地下タンク１４０の底部に沈殿していた異物Ｗによるポンプユニット５０内のポンプフィルタ５１が目詰まりすることによる液体燃料の供給量低下が防止される。これにより、地震発生後の復旧活動を行う車両への燃料供給を安定的に行うことが可能になる。
【００３６】
次のＳ１６では、予め設定された所定時間が経過したか否かをチェックする。尚、所定時間は、任意の時間を設定することができ、例えば、切替弁３０が切替え動作して液体燃料が異物除去手段８０により濾過されてポンプユニット５０に供給されるまでの所要時間に基づいて設定される。Ｓ１６では、所定時間が経過するまで、待機状態となる。また、Ｓ１６において、所定時間が経過した場合（ＹＥＳの場合）、Ｓ１７に進む。Ｓ１７では、流量計６０のパルス発振器６２から送信された流量パルスを積算して流量（供給量）を演算すると共に、第２の圧力センサ１８０により検出された液体燃料の供給圧力Ｐ２（異物除去手段を通過した液体燃料の圧力）を読み込む。
【００３７】
続いて、Ｓ１８に進み、多重構造フィルタ８４より下流に設けられた第２の圧力センサ１８０により検出された液体燃料の供給圧力（多重構造フィルタ８４より吐出された圧力検出値）が予め設定された所定圧力値（閾値）より小さいか否かをチェックする。Ｓ１８において、第２の圧力センサ１８０により検出された液体燃料の供給圧力Ｐ２（多重構造フィルタ８４より下流の圧力）が予め設定された所定圧力値（閾値）より大きい場合（ＮＯの場合）、多重構造フィルタ８４が目詰まりしたことによる液体燃料の供給量低下の可能性がないものと判断してＳ１９に進み、ノズルスイッチ１３２がオンになったか否かをチェックする。
【００３８】
また、上記Ｓ１４において、感震器（地震検知手段）１００から地震検知信号が出力されない場合（ＮＯの場合）、Ｓ２２に進み、流量計６０の流量パルス発信器６２から送信された流量パルスを積算してノズル１５０から吐出される液体燃料の単位時間当たりの瞬時流量、及び積算流量（供給量）を演算する。続いて、Ｓ２３では、流量パルスを演算して得られた積算流量（供給量）の数値データを表示器１２０に出力して供給量を表示させる。この後は、Ｓ１９に進み、ノズルスイッチ１３２がオンになったか否かをチェックする。
【００３９】
Ｓ１９において、ノズルスイッチ１３２がオンの場合（ＹＥＳの場合）、ノズル１５０がノズル掛け１３０に戻されて、燃料供給が終了したもの判断し、Ｓ２０で電磁弁７０を閉弁し、Ｓ２１でポンプモータ５２を停止させる。また、Ｓ１９において、ノズルスイッチ１３２がオフの場合（ＮＯの場合）、まだ燃料供給が行われるものと判断して上記Ｓ１４の処理に戻り、Ｓ１４〜Ｓ１９の処理を繰り返す。
【００４０】
また、上記Ｓ１８において、第２の圧力センサ１８０により検出された液体燃料の供給圧力（多重構造フィルタ８４より下流の圧力）が予め設定された所定圧力値（閾値）より小さい場合（ＹＥＳの場合）、Ｓ２４に進み、スピーカ（報知手段）１１０により「異物除去手段８０が目詰まりして燃料供給が正常に行えない」といったメッセージを報知する。これにより、多重構造フィルタ８４に異物が蓄積されて濾過性能が低下しており、作業者は多重構造フィルタ８４を交換又は清掃する時期であることが分かる。
【００４１】
この後は、上記Ｓ２０で電磁弁７０を閉弁し、Ｓ２１でポンプモータ５２を停止させる。
また、Ｓ２０、Ｓ２１で燃料供給を停止させることで、ポンプユニット５０に無理な負荷がかかることを防止できる。
【００４２】
また、上記実施形態では、感震器１００を筐体１２の内部に設けた構成を一例として示したが、これに限らず、例えば、感震器１００を筐体１２の外部（例えば、事務所等）に設置し、感震器１００からの地震検知信号を無線により制御回路９０に送信しても良い。あるいは、地震情報がインターネットあるいはラジオやテレビ向けの緊急地震放送が受信された場合に自動的に切替弁３０を切替えることも可能である。また、地震が発生したことを知った作業員が手動で切替弁３０を切替えても良い。
【００４３】
〔変形例〕
図４は制御回路が実行する制御処理の変形例を説明するためのフローチャートである。図４において、図３のフローチャートと同じ処理については、同じ符号を付してその説明を省略する。
【００４４】
尚、この変形例の場合、バイパス経路４０の上端（下流側端部）をポンプフィルタ５１の下流側に接続させる構成とする。これにより、異物除去手段８０の多重構造フィルタ８４で濾過された液体燃料がポンプフィルタ５１を通過せずに、直接ポンプに供給可能となる。また、ポンプフィルタ５１の上流側には、第１の圧力センサ１７０が、下流側には第２の圧力センサ１８０が設けられている。
【００４５】
Ｓ１３で電磁弁７０を開弁した後、Ｓ１３ａに進み、第１の圧力センサ１７０により検出されたポンプ吐出圧力Ｐ１を計測し、Ｓ１４ａにおいて、ポンプ吐出圧力Ｐ１と予め設定された所定圧力値Ｐ１ａとを比較し、Ｐ１＜Ｐ１ａの場合（ＹＥＳの場合）、ポンプフィルタ５１が目詰まりしてポンプ吐出圧力が低下して液体燃料の供給量が低下する可能性があるものと判断し、Ｓ１５に進み、前述したＳ１５〜Ｓ２１の処理を実行する。すなわち、感震器１００が地震検知したときと同様に、切替弁３０を切替えて地下タンク１４０から汲み上げた液体燃料をバイパス経路４０に供給し、ポンプフィルタ５１を経由せず、異物除去手段８０の多重構造フィルタ８４で濾過された液体燃料をポンプユニット５０のポンプに供給する。
【００４６】
また、Ｓ１４ａにおいて、Ｐ１＞Ｐ１ａの場合（ＮＯの場合）、前述したＳ２２、ｓ２３の処理を実行し、さらにＳ１９において、ノズルスイッチ１３２がオフの場合（ＮＯの場合）、前述したＳ１３ａ〜Ｓ１４ａ、Ｓ２２、Ｓ２３、１９の処理（通常の燃料供給の処理）を実行する。
【００４７】
また、上記Ｓ１４ａにおいて、第１の圧力センサ１７０により検出されたポンプ吐出圧力Ｐ１と、ポンプフィルタ５１よりも上流に設けられた第２の圧力センサ１８０により検出された圧力Ｐ２（ポンプ吸込み圧力）とを比較し、例えばＰ２−Ｐ１の圧力差△Ｐが予め設定された閾値以下か否かをチェックしても良い。この場合、圧力差△Ｐが閾値以下の場合、ポンプフィルタ５１が目詰まりして液体燃料の供給量が低下する可能性があるものと判断されて切替弁３０をａポートとｃポートとを連通するように切り替える。そのため、地下タンク１４０から汲み上げられた液体燃料は、バイパス経路４０の異物除去手段８０に供給される。
【００４８】
また、第２の圧力センサ１８０は、異物除去手段８０の下流側（バイパス経路４０の上端側）圧力を検出しても良いし、あるいは異物除去手段８０の上流側（バイパス経路４０の下端側）の圧力を検出しても良い。
【００４９】
尚、報知手段としては、上記スピーカ１１０に限るものではなく、例えば、モニタに上記のようなメッセージを表示させても良い。
【００５０】
また、上記実施形態のポンプフィルタ５１は、ポンプユニット５０に内蔵された構成を一例として示したが、これに限らず、フィルタ５１のみを燃料供給経路２０に設けた構成としても良い。この場合、バイパス経路４０をポンプフィルタ５１の上流側又はポンプフィルタ５１の上流と下流との間をバイパスするよう設けることにより、地震発生時に自動的に切替弁３０を切替えて液体燃料を確実に異物除去手段８０に供給することができるので、地下タンク１４０に沈殿した異物Ｗがポンプフィルタ５１に供給されることを防止してポンプフィルタ５１が目詰まりすることによる液体燃料の供給量が低下してしまうことを防止することが可能になる。
【００５１】
また、上記実施形態では、地下タンク１４０に貯留された液体燃料を汲み上げる燃料供給経路２０にバイパス経路４０を設けた構成を一例として挙げたが、これに限らず、地下タンク以外のタンク（地上に設置されたタンク）に貯留された液体燃料を他のタンクに供給する場合にも本発明を適用できるのは勿論である。
また、上記実施形態の第１の圧力センサ１７０は、ポンプフィルタ５１の下流に設けたが、これに限らず、ポンプフィルタ５１の上流側に設けてもよい。そして、液体燃料の圧力が所定値以上である場合に、ポンプフィルタ５１が目詰まりしたことによる液体燃料の供給量が低下する可能性があるため、切替弁３０を自動的に切替えてもよい。
【００５２】
また、ポンプフィルタ５１の上流および下流に一対の圧力センサを設けた場合には、その上流と下流の圧力差(圧力差)から切替弁３０を自動的に切替えてもよい。
【符号の説明】
【００５３】
１０  燃料供給装置
１２  筐体
２０  燃料供給経路
２１  第１配管
２２  第２配管
２３  第３配管
２４  第４配管
２５  第５配管
２６  ホース
３０  切替弁
４０  バイパス経路
５０  ポンプユニット
５１  ポンプフィルタ
５２  ポンプモータ
６０  流量計
６２  流量パルス発信器
７０  電磁弁
８０  異物除去手段
８２  フィルタ収納ケース（フィルタ収納部）
８３  蓋
８４  多重構造フィルタ
８６  金属製メッシュ部材
９０  制御回路
１００  感震器（地震検知手段）
１１０  スピーカ（報知手段）
１２０  表示器
１３０  ノズル掛け
１３２  ノズルスイッチ
１４０  地下タンク
１５０  ノズル
１６０  燃料タンク（被燃料供給体）
１７０  第１の圧力センサ（圧力検出手段）
１８０  第２の圧力センサ（圧力検出手段）
２１０  圧力監視手段
２２０  切替弁制御手段
２３０  電磁弁制御手段
２４０  流量演算手段
２５０  ポンプ制御手段
【図１】
2015105105.tif 000003
【図２】
2015105105.tif 000004
【図３】
2015105105.tif 000005
【図４】
2015105105.tif 000006